(57)【要約】【課題】キーによる施解錠操作に加え、電気信号による施解錠操作ができる簡易な構造の扉のポップアウト型ロックハンドル装置を提供する。【解決手段】ロックハンドル装置１は、ハンドルケース２、内筒３、錠止部材４、ハンドル５、ばね部材６、施錠機構７、錠前ユニット８、プッシュソレノイド５５を具備する。ハンドル５のケース２への押し込み動作で自動的にロック状態を得る。錠前のロータ２６の回転で、ロータカム２２を介してデッドボルト２１を非ロック位置へ駆動してロックを解除する。プッシュソレノイド５５は、ロック状態において、電気信号によりプッシュバー５７を突出させて、デッドボルト２１を非ロック位置へ移動させロックを解除する。【選択図】図４
2020033829.tif 000002
【特許請求の範囲】
【請求項１】
軸線が前後方向に延びる軸受け筒部と、この軸受け筒部の前端部に設けられる鍔部とを具備し、鍔部を筐体の扉の前面に当接させて当該扉に固着されるハンドルケースと、
前記ハンドルケースの軸受け筒部内に施錠位置と解錠位置との間で軸周り相対回転可能かつ前後に移動不能に嵌挿される内筒と、
前記内筒の後端部に連結され、扉を筐体に対して錠止する施錠位置と解放する解錠位置との間で内筒と一体に正逆回転する錠止部材と、
概略円筒状のハンドル軸部と、このハンドル軸部の前端からハンドル軸部の軸線に対して直交方向一方である下方に延出するハンドル板部とを具備するハンドルであって、前記ハンドル軸部は、前記内筒に軸周り相対回転不能に嵌挿され、前記ハンドルケース内に没する没入位置とハンドルケースから突出する突出位置との間で内筒に対して前後に相対摺動自在で、突出位置において前記内筒と一体に施錠位置と解錠位置との間を前記ハンドルケースに対して軸周り回転操作可能に構成され、前記ハンドル板部は、前記ハンドル軸部に連通して前方に開放する開口を有し、没入位置において前記ハンドルケースの鍔部の前面に当接するように構成され、
前記内筒と前記ハンドル軸部との間に挿入され、前記ハンドルを突出位置へ押し出すようにハンドル軸部を前方へ付勢するばね部材と、
前記ハンドル軸部の後部に設けられ、前記ハンドルを前記内筒に対して没入位置に拘束しかつ前記軸受け筒部に対して施錠位置に拘束するように前記内筒及び前記軸受け筒部に係合する拘束状態と、前記内筒及び前記軸受け筒部との係合を解いて前記ハンドルの前記内筒からの突出を許容する解放状態との間を動作可能な施錠機構と、
前記ハンドル軸部の前部に組み込み固定され、キー操作によるロータのロック位置と非ロック位置間の回転によって前記施錠機構を拘束又は解放動作させるように駆動する錠前ユニットと、を具備する扉のポップアウト型ロックハンドル装置において、
前記施錠機構は、前記ハンドル軸部からそれの半径方向下方に突出したロック位置と前記ハンドル軸部内に没入した非ロック位置との間を半径方向に進退自在でロック位置に付勢されてハンドル軸部に組み込まれたデッドボルトと、前記ハンドル軸部内にロック位置と非ロック位置との間を軸周り回転自在に組み込まれ前記錠前ユニットのロータの非ロック方向への回転に応動して非ロック方向へ回転することにより前記デッドボルトを非ロック位置へ後退させるロータカムとを具備し、
前記ハンドル軸部は、前記デッドボルトを半径方向に出没させるようにボルト出入り開口によって外周に開放するボルト収容空間を具備し、
前記内筒は、前記ハンドルが没入位置にあるとき、前記ハンドル軸部の出入り開口と対向することにより、前記デッドボルトを貫通させてロック位置に移動させ、それにより前記ハンドルを没入位置に拘束するように配置された貫通開口を具備し、前記ハンドルが没入位置にないときはデッドボルトを非ロック位置に保持するように構成され、
前記軸受け筒部は、前記ハンドルが施錠位置で没入位置にあるとき、前記ボルト出入り開口及び前記貫通開口に対向することにより、前記貫通開口から突出したロック位置にあるデッドボルトを半径方向外側へ露出させるように係合させ、それにより前記ハンドルを施錠位置に拘束するように配置されたスリットを具備し、
前記デッドボルトは、ロック位置において前記軸受け筒部の前記スリットに係合する頭部と、この頭部から延出する脚部と、前記ロータカムと係合するように前記脚部に形成された受動係合部とを具備し、前記脚部と前記ハンドル軸部との間に介設されたばねによりロック位置に付勢され、
前記ハンドルケースの前記鍔部の下部後面側には、制御センターからの電気信号によりロック位置にある前記デッドボルトを非ロック位置へ押し込むためのプッシュソレノイドが、それのプッシュバーの先端を前記スリットを介して前記デッドボルトの頭部に対向させて固定されることを特徴とする扉のポップアウト型ロックハンドル装置。
【請求項２】
前記ハンドルケースの前記鍔部の上部後面側に固定され、前記ハンドルの突出または埋没の位置を検知して電気信号を前記制御センターへ送るマイクロスイッチと、
基端側が前記マイクロスイッチのアクチュエータに当接し、先端が前記ハンドル板部が当接する面から突出するように前記鍔部を前後方向に移動自在に貫通するセンサピンとをさらに具備することを特徴とする請求項１に記載の扉のポップアウト型ロックハンドル装置。
【請求項３】
前記ハンドルケースの前記鍔部の下部後面側に固定され、前記プッシュソレノイドのプッシュバーの下端部と前記筐体の扉との間を遮絶する硬質材からなるガード金具を具備することを特徴とする請求項１又は２に記載の扉のポップアウト型ロックハンドル装置。
【発明の詳細な説明】
【技術分野】
【０００１】
本発明は、自動販売機等の筐体の扉に使用され、ハンドル軸部に組み込まれた錠前ユニットのロータを正規のキーで所定方向に回すと、ハンドルがハンドルケースから突出し、このハンドルを回すことにより扉の解錠操作が可能となるポップアウト型の扉用ロックハンドル装置に関する。
【背景技術】
【０００２】
扉用のポップアウト型ロックハンドル装置が特許文献１に記載されている。このロックハンドル装置は、ハンドルケース、内筒、錠止部材、ハンドル、ばね部材、施錠機構、錠前ユニットを具備する。ハンドルケースは、前後方向に延びる軸受け筒部と、この軸受け筒部の前端部に設けられる鍔部とを具備し、鍔部を筐体の扉の前面に当接させて当該扉に固着される。内筒は、ハンドルケースの軸受け筒部内に回転可能かつ前後に移動不能に嵌挿される。錠止部材は、内筒の後端部に連結され、扉を筐体に対して錠止する施錠位置と、解放する解錠位置との間で内筒と一体に正逆回転する。ハンドルは、概略円筒状のハンドル軸部と、このハンドル軸部の前端からそれの軸線に直交方向に一方向へ延出するハンドル板部とを具備する。ハンドル軸部は、内筒に軸周り回転不能に嵌挿される。したがって、ハンドル軸部は、ハンドルケースに対して内筒、錠止部材と一体回転可能である。また、ハンドル軸部は、ハンドルケース内に没する没入位置と、ハンドルケースから突出する突出位置との間で内筒に対して前後に移動動自在であり、突出位置において、ハンドルケースに対して内筒と一体に施錠位置と解錠位置との間を回転操作可能となる。ハンドル板部は、ハンドル軸部に連通する開口を有し、没入位置においてハンドルケース２の鍔部の前面に当接するように構成される。ばね部材は、内筒とハンドル軸部との間に挿入され、ハンドルを前方突出方向へ付勢する。施錠機構は、ハンドル軸部の後部に設けられ、ハンドル軸部を没入位置で内筒に対して前後方向に拘束し、又は解放する。錠前ユニットは、ハンドル軸部の前部に組み込み固定され、キー操作によるロータのロック位置と非ロック位置間の回転によって、施錠機構を拘束又は解放動作させるように駆動する。施錠機構は、デッドボルト、ロータカム、ジョイントカムを具備する。デッドボルトは、ハンドル軸部からそれの半径方向に突出したロック位置とハンドル軸部内に没入した非ロック位置との間を半径方向に進退自在にハンドル軸部に組み込まれ、ロック位置に付勢される。ロータカムとジョイントカムは、錠前ユニットのロータの非ロック方向への回転に応動して非ロック方向へ回転することにより、デッドボルトを非ロック位置へ後退させる。  ハンドル軸部は、デッドボルトを半径方向に出没させるように外周に開放するボルト収容空間を具備する。内筒は、ハンドルが没入位置にあるとき、ハンドル軸部のボルト収容空間と対向することにより、デッドボルトを貫通させてロック位置に移動させ、それによりハンドルを没入位置に拘束するように配置された貫通開口を具備し、ハンドルが没入位置にないときはデッドボルトを非ロック位置に保持するように構成される。軸受け筒部は、ハンドルが施錠位置で没入位置にあるとき、ボルト収容空間及び貫通開口に対向することにより、貫通開口から突出したロック位置にあるデッドボルトを係合させ、それによりハンドル５を施錠位置に拘束するように配置された係合凹部を具備する。デッドボルトは、ロック位置において軸受け筒部の係合凹部に係合する頭部と、この頭部から延出する脚部と、ジョイントカムと係合するように脚部に形成された受動係合部とを具備し、脚部とハンドル軸部との間���介設されたばねによりロック位置に付勢される。
【先行技術文献】
【特許文献】
【０００３】
【特許文献１】特開２０１６−５６５３４号公報
【発明の概要】
【発明が解決しようとする課題】
【０００４】
特許文献１に記載のロックハンドル装置は、錠前をキーで操作することのみにより扉の解錠を行うものであるが、扉の解錠を電気的に制御したいという要請がある。
したがって、本発明は、扉の解錠を錠前のキー操作に加えて、電気的に制御することができる扉のポップアウト型ロックハンドル装置を提供することを目的としている。
【課題を解決するための手段】
【０００５】
以下、添付図面の符号を参照して説明するが、本発明はこれに限定されるものではない。
上記課題を解決するための、本発明のロックハンドル装置１は、ハンドルケース２、内筒３、錠止部材４、ハンドル５、ばね部材６、施錠機構７、錠前ユニット８を具備する。
ハンドルケース２は、前後方向に延びる軸受け筒部９と、この軸受け筒部９の前端部に設けられる鍔部１０とを具備し、鍔部１０を筐体の扉Ｄの前面に当接させて当該扉Ｄに固着される。
内筒３は、ハンドルケース２の軸受け筒部９内に回転可能かつ前後に移動不能に嵌挿される。
錠止部材４は、軸受け筒部９内に嵌挿された内筒３の後端部に連結され、扉Ｄを筐体に対して錠止する施錠位置と、解放する解錠位置との間で内筒３と一体に正逆回転する。
ハンドル５は、概略円筒状のハンドル軸部１７と、このハンドル軸部１７の前端からハンドル軸部１７の軸線に直交する下方へ延出するハンドル板部１２とを具備する。ハンドル軸部１７は、内筒３内に軸周り回転不能に嵌挿される。したがって、ハンドル軸部１７は、ハンドルケース２に対して内筒３、錠止部材４と一体回転可能である。また、ハンドル軸部１７は、ハンドルケース２内に没する没入位置と、ハンドルケース２から突出する突出位置との間で内筒３に対して前後に摺動自在であり、突出位置において、ハンドルケース２に対して内筒２と一体に施錠位置と解錠位置との間を回転操作可能である。ハンドル板部１２は、ハンドル軸部１７に連通する開口１９を有し、没入位置においてハンドルケース２の鍔部１０の前面に当接するように構成される。
ばね部材６は、内筒３とハンドル軸部１７との間に挿入され、ハンドル５を前方突出方向へ付勢する。
施錠機構７は、ハンドル軸部１７内の後部に設けられ、ハンドル軸部１７を没入位置で内筒３に対して前後方向に拘束し、又は解放する。
錠前ユニット８は、ハンドル軸部１７内の前部に組み込み固定され、キー操作によるロータ２６のロック位置と非ロック位置間の回転によって、施錠機構７を拘束又は解放動作させるように駆動する。
施錠機構７は、デッドボルト２１、ロータカム２２を具備する。デッドボルト２１は、ハンドル軸部１７からそれの半径方向に突出したロック位置とハンドル軸部１７内に没入した非ロック位置との間を半径方向に進退自在にハンドル軸部１７内に組み込まれ、ロック位置に付勢される。ロータカム２２は、ロック位置と非ロック位置との間を軸周り回転自在にハンドル軸部１７内に組み込まれ、錠前ユニット８のロータ２６の非ロック方向への回転に応動して非ロック方向へ回転することにより、デッドボルト２１を非ロック位置へ後退させる。
ハンドル軸部１７は、デッドボルト２１を、外周のボルト出入開口３３から半径方向に出没させるように収容するボルト収容空間２３を具備する。
内筒３は、ハンドル５が没入位置にあるとき、ハンドル軸部１７のボルト出入開口３３と対向する貫通開口３７を具備する。両開口３３、３７が対向すると、デッドボルト２１がこれらを貫通し、ロック位置に移動し、それによりハンドル５を没入位置に拘束する。内筒３は、ハンドル５が没入位置にないときはデッドボルト２１を非ロック位置に保持する。
軸受け筒部９は、ハンドル５が施錠位置で没入位置にあるとき、ボルト収容空間２３のボルト出入り開口３３及び貫通開口３７に対向することにより、貫通開口３７から突出したロック位置にあるデッドボルト２１を半径方向外側へ露出させるように係合させ、それによりハンドル５を施錠位置に拘束するように配置されたスリット４０を具備する。
デッドボルト２１は、ロック位置において軸受け筒部９のスリット４０に係合する頭部４１、この頭部４１から延出する脚部４２、ロータカム２２と係合するように脚部４２に形成された受動係合部２８とを具備し、脚部４２とハンドル軸部１７との間に介設されたばね２７によりロック位置に付勢される。
ハンドルケース２の鍔部１０の下部後面側には、制御センターからの電気信号によりロック位置にあるデッドボルト２１を非ロック位置へ押し込むためのプッシュソレノイド５５が固定される。プッシュソレノイド５５のプッシュバー５７は、先端をスリット４０を介してデッドボルト２１の頭部４１に対向するように配置される。
【発明の効果】
【０００６】
本発明のポップアウト型ロックハンドル装置は、扉の解錠を錠前のキー操作に加えて、電気的に制御する付加機能を有するので、その用途を大きく拡大することができる。
【図面の簡単な説明】
【０００７】
【図１】本発明に係る扉のポップアウト型ロックハンドル装置の一部の分解斜視図である。
【図２】本発明に係る扉のポップアウト型ロックハンドル装置の分解斜視図である。
【図３】ロックハンドル装置の断面図である。
【図４】ロックハンドル装置のハンドルが突出位置にある断面図である。
【図５】ロックハンドル装置の正面図である。
【図６】ロックハンドル装置の側面図である。
【図７】ロックハンドル装置の背面図である。
【図８】図３におけるカム部の断面図である。
【図９】図４におけるカム部の断面図であり、錠前のキー操作によりデッドボルトを非ロック位置に引き上げた状態を示す図である。
【図１０】図９と同位置の断面図であり、プッシュソレノイドによりデッドボルトを非ロック位置に押し上げた状態を示す図である。
【発明を実施するための形態】
【０００８】
図面を参照して本発明の実施の形態を説明する。
図１，２において、ロックハンドル装置１は、ハンドルケース２（図２）、内筒３、錠止部材４、ハンドル５、ばね部材６、施錠機構７、錠前ユニット８を具備する。
【０００９】
図２，３，４において、ハンドルケース２は、前後方向に延びる軸受け筒部９と、この軸受け筒部９の前端部に設けられる鍔部１０とを具備し、図３，４に示すように、鍔部１０の後面を筐体の扉Ｄの前面パネルに当接させて当該扉Ｄに固着される。鍔部１０の前面には、ハンドル５のハンドル板部１２を受け入れるハンドル受け凹部１１が形成される。
【００１０】
図２，３，４において、内筒３は、ハンドルケース２の軸受け筒部９内に施錠位置と解錠位置との間で約９０°軸周り相対回転可能に嵌挿され、かつ前方のフランジ部１３と、後端に固着される錠止部材４とにより、軸受け筒部９に対して前後に移動不能とされる。図１に示すように、内筒３は、前方に開放し、後方は端壁１４で閉じられる。図３，４，７に示すように、端壁１４は、軸受け筒部９の後方へ露出し、その後面に錠止部材４が固着される。図２に示すように、フランジ部１３の後面に形成されたストッパ突起１５が、ハンドルケース２の軸受け筒部９の内周前縁部に形成されたほぼ９０°の円弧状凹部１６に嵌合することで、ハンドルケース２に対する内筒３の回転範囲が約９０°に規制される。内筒３の軸受け筒部９への嵌め込み角度を１８０°変更することで、内筒３の回転方向を変更することができる。
【００１１】
図２ないし図４において、錠止部材４は、内筒３の端壁１４の後面に固着され、上下方向に延びて扉Ｄを筐体に対して錠止する施錠位置と、水平方向に延びて解放する解錠位置との間で、ハンドルケース２に対して内筒３と一体に約９０°の範囲で正逆回転する。
【００１２】
図１において、ハンドル５は、概略円筒状のハンドル軸部１７と、それの前端から軸線直交方向に一方(下方)へ延出するハンドル板部１２とを具備する。ハンドル軸部１７は、外周の突部１８が、内筒３の内周の凹部６２と嵌合することで、内筒３対して軸周りには相対回転不能、軸方向には所定範囲で相対移動可能に嵌挿される。
【００１３】
したがって、ハンドル５は、ハンドルケース２内に没する没入位置（図３と、ハンドルケース２から突出する突出位置（図４）との間で内筒３に対して前後に摺動自在であり、また突出位置において、ハンドルケース２に対して内筒３、錠止部材４と一体に施錠位置（図５における実線）と解錠位置（図５における仮想線）との間を回転操作可能となる。
【００１４】
図３，５に示すように、ハンドル板部１２は、没入位置においてハンドルケース２のハンドル受け凹部１１内に没して回転操作することができない。図１に示すように、ハンドル板部１２は、ハンドル軸部１７に連通して前方に開放する開口１９と、その外縁に広がるフード受け凹部２０を有する。
【００１５】
図１，３，４において、ばね部材６は、内筒３の端壁１４とハンドル軸部１７の後端との間に挿入され、ハンドル５を前方突出方向へ付勢する。
【００１６】
施錠機構７は、デッドボルト２１と、ロータカム２２とを具備し、ハンドル軸部１７内の各収容空間２３，２４（図３、図４）内に組み込まれ、錠前ユニット８の施解錠操作に連動し、ハンドル軸部１７を没入位置で内筒３に対して前後方向に拘束し、または解放する。
【００１７】
錠前ユニット８は、ハンドル軸部１７の錠前収容空間２５（図３、図４）に組み込み固定され、キー操作によるロータ２６のロック位置から非ロック位置への回転によって、ロータカム２２を介してデッドボルト２１を非ロック位置へ引き上げるように駆動する。
【００１８】
デッドボルト２１は、ハンドル軸部１７のデッドボルト収容空間２３内に組み込まれ、図３，図８に示すように、ハンドル軸部１７からそれの半径方向に突出したロック位置と、図４，図９に示すように、ハンドル軸部１７内に没入した非ロック位置との間を半径方向に進退自在にであり、ばね２７でロック位置に付勢される。
【００１９】
ロータカム２２は、ハンドル軸部１７のロータカム収容空間２４に組み込まれる。ロータカム２２は、錠前ユニット８のロータ２６の回転をデッドボルト２１へ伝えるもので、デッドボルト２１の受動係合部２８に係合する駆動系合部２９（図８，図９）を具備し、ロック位置（図８）と非ロック位置（図９）との間を軸周り回転自在である。ロータカム２２は、ロータ２６の非ロック方向への回転に応動して非ロック方向へ回転することにより、デッドボルト２１を非ロック位置（図３，図８）へ押し上げる。
【００２０】
図３、図４において、ハンドル軸部１７の内部には、前方から後方へ向かって錠前収容空間２５、ロータカム収容空間２４、ボルト収容空間２３が形成される。錠前収容空間２５は、開口１９により前方に開放する。ハンドル軸部１７の後端には、ロータカム２２の後端部を回転自在に支持する軸受け孔３０が形成される。軸受け孔３０の外周側に、ロータカム２２の回転角度を規制する扇型係合凹部３１が形成される。デッドボルト収容空間２３の周壁３２の下部には、ボルト出入り開口３３が形成される。デッドボルト収容空間２３は、図８，図９に示すように、デッドボルト２１をボルト出入り開口３３から半径方向に出没自在に保持する。図１に示すように、錠前収容空間２５の周壁３２の右方には、錠前固定部材３５を挿入するための開口３４が形成される。
【００２１】
図１、図３に示すように、内筒３は、その周壁３６に、ハンドル軸部１７のボルト出入開口３３に対応する貫通開口３７を具備する。貫通開口３７は、ハンドル５が没入位置（図３）にあるとき、図３，図８に示すように、ボルト出入開口３３と対向することにより、ボルト収容空間２３から突出するデッドボルト２１を下方へ貫通させてロック位置に移動させ、ハンドル５を没入位置に拘束する。ハンドル５が没入位置にないときは、図４，図９に示すように、周壁３６でデッドボルト２１を押さえ、これを非ロック位置に保持する。内筒３の周壁３６には、貫通開口３７に連続して前方に延びる軸線方向のガイド長孔３８が形成され、これにデッドボルト２１の突起３９が移動自在に係合する。
【００２２】
したがって、ハンドル５は、デッドボルト２１の頂部４５が貫通開口３７から外れた後、突起３９が長孔３８に沿って移動する範囲（図３，図４）で内筒３に対して前後方向に移動可能である。
【００２３】
内筒３の周壁３６には、貫通開口３７及びガイド長孔３８と同形の開口３７’、長孔３８’が、これらと１８０度回転対称位置（上方）に設けられる。ハンドル軸部１７の後端部上面に螺合されたストッパボルト６１の頭部が開口３７’及び長孔３８’に嵌まり、長孔３８’の延長範囲でハンドル５と内筒３との軸線方向の相対移動範囲を限定している（図２，図３）。
【００２４】
図２，図３に示すように、ハンドルケース２の軸受け筒部９には、貫通開口３７とガイド長孔３８に対向して軸線方向前後に延びるスリット４０が形成される。デッドボルト２１が、貫通開口３７からロック位置へ突出するとき（図３、図８）、突起３９の下端がスリット４０から軸受筒部９の外側下方へ露出する。
【００２５】
図１、図８に示すように、デッドボルト２１は、頭部４１と、頭部４１から延出する平行一対の脚部４２とを具備する。頭部４１の頂部４５から突起３９が突出している。受動係合部２８は一方の脚部４２の前面側に設けられる。頭部４１は、ロック位置においてハンドル軸部１７のボルト出入開口３３を貫通して下方外側へ突出する（図８）。デッドボルト２１は、ハンドル軸部１７内のボルト収容空間２３に半径方向に相対移動自在に組み込まれ、一対の脚部４２の間に、ロータカム２２の軸筒部４３を前後方向に貫通させる。脚部４２の先端とハンドル軸部１７の内周との間にばね２７が介設され、これよりデッドボルト２１は、ロック位置に付勢される。
【００２６】
図１，図８に示すように、デッドボルト２１の受動係合部２８は、ロータカム２２の駆動係合部２９を受け入れるように、前面側に設けられた凹部からなり、駆動係合部２９が当接する当接面４４を具備する。
【００２７】
図３，図８に示すように、ロータカム２２は、ロック位置と非ロック位置の間を軸周り正逆回転自在に、ハンドル軸部１７内に組み込まれる。図１、図３に示すように、ロータカム２２は、錠前ユニット８のロータ２６が嵌合する軸筒部４３と、それの前端部に形成されたフランジ部４６と、このフランジ部４６の後面に突設された駆動係合部２９と、軸筒部４３の外周に軸線方向に延びるように形成された突条４７とを具備する。駆動係合部２９は、デッドボルト２１の受動係合部２８と係合する。図２，図８に示すように、ロータカム２２の軸筒部４３は、突条４７を扇型係合凹部３１に係合させて、後端部においてハンドル軸部１７の軸受け孔３０に支承される。したがって、ロータカム２２は、扇型係合凹部３１の角度範囲で、錠前ユニット８のロータ２６と一体に、ハンドル軸部１７に対してロック位置（図８）と非ロック位置（図９）の間を軸周り正逆回転自在である。
【００２８】
駆動係合部２９は、ロータカム２２が非ロック位置へ回転する時、デッドボルト２１の受動係合部２８の当接面４４に係合してデッドボルト２１を非ロック位置へ移動させように配置される。
【００２９】
図１，３に示すように、錠前ユニット８は、錠前ケース４８と、固定リング４９との間にガードフード５０介在させてハンドル５に組み込まれる。錠前ケース４８は、円筒状で外周にねじ部５１を有すると共に、対向側面部に軸線と平行な一対の平坦面５２を有する。固定リング４９は、外周に環状溝５３を有し、錠前ケース４８の外周に螺合固定される。ガードフード５０は、硬質材からなり、ドリル等による暴力的破壊に有効に対抗する。
【００３０】
図１，図３に示すように、錠前ユニット８は、固定金具挿入用開口３４を通してハンドル軸部１７に軸線直交方向に挿入される固定部材３５により、ハンドル軸部１７内に固定される。
【００３１】
図２，図３に示すように、ハンドルケース２の下部鍔部１０の後面側には、制御センターに電気的に接続されたプッシュソレノイド５５が、取り付け金具５６を介して固定される。プッシュソレノイド５５は、制御センターからの電気信号により、ロック位置にあるデッドボルト２１を非ロック位置へ押し込むためのもので、スリット４０から軸受筒部９の下方へ突出するデッドボルト２１の突起３９にプッシュバー５７の先端を対向させて固定される。
【００３２】
ハンドルケース２の下部後方には、プッシュソレノイド５５のプッシュバー５７の下端部に対する前方からの暴力的なアプローチを困難とするための硬質材からなるカバー金具５８が取り付けられる。これにより、扉Ｄの前面パネルに穿孔し、工具でプッシュバー５７を下端側から押し上げて不正な解錠をすることが妨げられる。
【００３３】
ハンドルケースの上部鍔部１０の後面側には、ハンドル５の位置を検知して電気信号を制御センターへ送るマイクロスイッチ５９が取り付けられる。鍔部１０を前後方向に移動自在に貫通するセンサピン６０の基端側がマイクロスイッチ５９のアクチュエータに当接し、先端がハンドル受け凹部１１の前面から突出している。
【００３４】
いま、扉Ｄが錠止部材４により閉鎖状態で筐体に錠止されている図３、図８に示す状態から、扉Ｄの錠止を解き、これを開いて作業完了後、再び閉鎖して錠止するまでの過程を説明する。
【００３５】
図３、図８に示す状態で、錠止部材４は施錠位置にあり、ハンドル５はハンドルケース２に没入し、デッドボルト２１は内筒３の貫通開口３７に係合したロック位置にあり、錠前ユニット８のロータ２６、ロータカム２２もすべてロック位置にある。
【００３６】
この状態から、錠前にキーを挿入して図８において時計方向に約９０°回転すると、ロータカム２２の駆動係合部２９がデッドボルト２１の受動係合部の当接面４４を押しながら、デッドボルト２１を非ロック位置へ引き込む。デッドボルト２１が内筒３の貫通開口３７から抜けると同時に、ばね部材６によりハンドル５がハンドルケース２から押し出され、デッドボルト２１が内筒３の周壁３６により非ロック位置に保持された図４，図９の状態となる。
【００３７】
これにより、ハンドル５を握って、例えば、これを反時計方向へ９０°回転させると、内筒３と共に、錠止部材４が解錠位置へ回転し、図示しない筐体の対応係合部から外れるので、扉Ｄを開くことができる。
所要の作業が完了して扉Ｄを閉じ、ハンドル５を内筒３及び錠止部材４と共に、時計方向へ９０°回転させて施錠位置へ戻し、ハンドル５をハンドルケース２へ押し込むと、内筒３の貫通開口３７とハンドルケース２のスリット４０とが対向した位置で、デッドボルト２１がばね２７に押されて自動的にハンドル軸部１７から突出して貫通開口３７に係合し、扉Ｄは筐体に錠止される。
【００３８】
また、錠前を操作することなく、制御センターからの遠隔操作等で、図１０に示すように、ソレノイド５５を励磁することにより解錠操作することができる。ソレノイド５５を励磁すると、プッシュバー５７が上方へ突出してデッドボルト２１を非ロック位置へ押し上げ、ハンドル５がハンドルケース２から押し出されるから、錠前の操作は不要である。これにより、遠隔からの非常解錠も可能である。必要に応じ電気的認証装置を付加して解錠権限に制限を加えることにより、セキュリティーを向上させながら、解錠手段を多様化でき、ポップアウト型ロックハンドル装置の用途を大きく拡大することができる。
【符号の説明】
【００３９】
１    ロックハンドル装置
２    ハンドルケース
３    内筒
４    錠止部材
５    ハンドル
６    ばね部材
７    施錠機構
８    錠前ユニット
９    軸受け筒部
１０  鍔部
１１  ハンドル受け凹部
１２  ハンドル板部
１３  フランジ部
１４  内筒の端壁
１５  ストッパ突起
１６  円弧状凹部
１７  ハンドル軸部
１８  突部
１９  前方
２０  フード受け凹部
２１  デッドボルト
２２  ロータカム
２３  デッドボルト収容空間
２４  カム収容空間
２５  錠前収容空間
２６  ロータ
２７  ばね
２８  受動係合部
２９  駆動係合部
３０  軸受け孔
３１  扇形係合凹部
３２  ハンドル軸部の周壁
３３  デッドボルト出入り開口
３４  固定金具挿入開口
３５  錠前固定部材
３６  内筒の周壁
３７  内筒の貫通開口
３８  内筒の長孔
３９  デッドボルトの突起
４０  スリット
４１  デッドボルトの頭部
４２  デッドボルトの脚部
４３  ロータカムの軸筒部
４４  デッドボルトの当接面
４５  デッドボルトの頂部
４６  ロータカムのフランジ部
４７  ロータカムの突条
４８  錠前ケース
４９  固定リング
５０  ガードフード
５１  ねじ部
５２  平坦面
５３  環状溝
５５  プッシュソレノイド
５６  取り付け金具
５７  プッシュバー
５８  ガード金具
５９  マイクロスイッチ
６０  センサピン
６１  ストッパボルト
６２  凹部
６３  脚部
６４  ガードフード
６５  軸受け孔
６６  扇型係合凹部
６７  他端
６８  段部
Ｄ    扉
【図１】
2020033829.tif 000003
【図２】
2020033829.tif 000004
【図３】
2020033829.tif 000005
【図４】
2020033829.tif 000006
【図５】
2020033829.tif 000007
【図６】
2020033829.tif 000008
【図７】
2020033829.tif 000009
【図８】
2020033829.tif 000010
【図９】
2020033829.tif 000011
【図１０】
2020033829.tif 000012
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
軸線が前後方向に延びる軸受け筒部と、この軸受け筒部の前端部に設けられる鍔部とを具備し、鍔部を筐体の扉の前面に当接させて当該扉に固着されるハンドルケースと、
前記ハンドルケースの軸受け筒部内に施錠位置と解錠位置との間で軸周り相対回転可能かつ前後に移動不能に嵌挿される内筒と、
前記内筒の後端部に連結され、扉を筐体に対して錠止する施錠位置と解放する解錠位置との間で内筒と一体に正逆回転する錠止部材と、
概略円筒状のハンドル軸部と、このハンドル軸部の前端からハンドル軸部の軸線に対して直交方向一方である下方に延出するハンドル板部とを具備するハンドルであって、前記ハンドル軸部は、前記内筒に軸周り相対回転不能に嵌挿され、前記ハンドルケース内に没する没入位置とハンドルケースから突出する突出位置との間で内筒に対して前後に相対摺動自在で、突出位置において前記内筒と一体に施錠位置と解錠位置との間を前記ハンドルケースに対して軸周り回転操作可能に構成され、前記ハンドル板部は、前記ハンドル軸部に連通して前方に開放する開口を有し、没入位置において前記ハンドルケースの鍔部の前面に当接するように構成されたものと、
前記内筒と前記ハンドル軸部との間に挿入され、前記ハンドルを突出位置へ押し出すようにハンドル軸部を前方へ付勢するばね部材と、
前記ハンドル軸部の後部に設けられ、前記ハンドルを前記内筒に対して没入位置に拘束しかつ前記軸受け筒部に対して施錠位置に拘束するように前記内筒及び前記軸受け筒部に係合する拘束状態と、前記内筒及び前記軸受け筒部との係合を解いて前記ハンドルの前記内筒からの突出を許容する解放状態との間を動作可能な施錠機構と、
前記ハンドル軸部の前部に組み込み固定され、キー操作によるロータのロック位置と非ロック位置との間の回転によって前記施錠機構を拘束又は解放動作させるように駆動する錠前ユニットと、を具備する扉のポップアウト型ロックハンドル装置において、
前記施錠機構は、前記ハンドル軸部からそれの半径方向下方に突出したロック位置と前記ハンドル軸部内に没入した非ロック位置との間を半径方向に進退自在でロック位置に付勢されてハンドル軸部に組み込まれたデッドボルトと、前記ハンドル軸部内にロック位置と非ロック位置との間を軸周り回転自在に組み込まれ前記錠前ユニットのロータの非ロック方向への回転に応動して非ロック方向へ回転することにより前記デッドボルトを非ロック位置へ後退させるロータカムとを具備し、
前記ハンドル軸部は、前記デッドボルトを半径方向に出没させるようにボルト出入り開口によって外周に開放するボルト収容空間を具備し、
前記内筒は、前記ハンドルが没入位置にあるとき、前記ハンドル軸部の出入り開口と対向することにより、前記デッドボルトを貫通させてロック位置に移動させ、それにより内筒に対する前後の相対移動を阻止して前記ハンドルを没入位置に拘束するように配置された貫通開口と、前記ハンドルが没入位置にないとき、前記貫通開口から外れることにより前記付勢されたデッドボルトを押し当てて非ロック位置に保持する周壁とを具備し、
前記軸受け筒部は、前記ハンドルが施錠位置で没入位置にあるとき、前記ボルト出入り開口及び前記貫通開口に対向することにより、前記貫通開口から突出したロック位置にあるデッドボルトを半径方向外側へ露出させるように係合させ、それにより前記ハンドルを施錠位置に拘束するように配置されたスリットを具備し、
前記デッドボルトは、ロック位置において前記軸受け筒部の前記スリットに係合する頭部と、この頭部から延出する脚部と、前記ロータカムと係合するように前記脚部に形成された受動係合部とを具備し、前記脚部と前記ハンドル軸部との間に介設されたばねによりロック位置に付勢され、
前記ハンドルケースの前記鍔部の下部後面側には、制御センターからの電気信号によりロック位置にある前記デッドボルトを非ロック位置へ押し込むためのプッシュソレノイドが、それのプッシュバーの先端を前記スリットを介して前記デッドボルトの頭部に対向させて固定されることを特徴とする扉のポップアウト型ロックハンドル装置。
【請求項２】
前記ハンドルケースの前記鍔部の上部後面側に固定され、前記ハンドルの突出または埋没の位置を検知して電気信号を前記制御センターへ送るマイクロスイッチと、
基端側が前記マイクロスイッチのアクチュエータに当接し、先端が前記ハンドル板部が当接する面から突出するように前記鍔部を前後方向に移動自在に貫通するセンサピンとをさらに具備することを特徴とする請求項１に記載の扉のポップアウト型ロックハンドル装置。
【請求項３】
前記ハンドルケースの前記鍔部の下部後面側に固定され、前記プッシュソレノイドのプッシュバーの下端部と前記筐体の扉との間を遮絶する硬質材からなるガード金具を具備することを特徴とする請求項１又は２に記載の扉のポップアウト型ロックハンドル装置。